(57)【要約】【課題】信号線の接続を容易かつ確実に行うことができる施工性に優れた分電盤を提供する。【解決手段】本体ケース１０と；本体ケースに設置される回路遮断器１１と；回路遮断器に接続された電線Ｃに設置される電流検出素子１２と；電流検出素子から出力端が導出される信号線１３と；信号線の出力端を接続する端子台１４と；を具備する分電盤１を構成する。【選択図】        図１
2010057238.tif 000002
【特許請求の範囲】
【請求項１】
本体ケースと；
本体ケースに設置される回路遮断器と；
回路遮断器に接続された電線に設置される電流検出素子と；
電流検出素子から出力端が導出される信号線と；
信号線の出力端を接続する端子台と；
を具備することを特徴とする分電盤。
【請求項２】
本体ケースと；
本体ケースに設置される主幹用遮断器と；
主幹用遮断器に接続される分岐回路用遮断器と；
分岐回路用遮断器に接続された電線に設置される電流検出素子と；
電流検出素子から出力端が導出される信号線と；
信号線の出力端を接続する端子台と；
端子台に接続された信号線の出力端をまとめる出力端子と；
を具備することを特徴とする分電盤。
【発明の詳細な説明】
【技術分野】
【０００１】
本発明は、住宅や店舗等で使用される分電盤に関する。
【背景技術】
【０００２】
従来、この種の分電盤は、住宅の壁面に取り付けられる本体ケースに、主幹用遮断器や上下に設置された複数の分岐回路用遮断器などが設置された分電盤ユニットが配設され、この分電盤ユニットを覆ってカバーが取り付けられて構成される。近年、住宅等においては、ホームＩＴシステム等が普及し、これらシステムにおいて、省エネ等の観点から、住宅全体の消費電力や、大型家電、例えば、エアコンなどの各負荷における個別の電力使用量を遂次表示するために、主幹用遮断器や分岐回路用遮断器に流れる電流を検出する機能を分電盤に設置することが行われている。
【０００３】
この種、回路遮断器に流れる電流を検出する分電盤として、例えば、特許文献１には、過電流になったとき重要度に応じて分岐負荷回路を遮断し、軽負荷に戻ったとき遮断回路を復帰・制御する機能（ピークカットコントローラ）を内蔵した分電盤や、通電電流表示付分電盤などに使用されるブレーカが示されている。
【特許文献１】特許第４１１１３５４号公報
【発明の開示】
【発明が解決しようとする課題】
【０００４】
この種の電流検出を行う分電盤においては、回路遮断器に接続される電線にカレントトランス等を貫通させて電流検出素子を設置し、電流検出素子からの信号線が分電盤内に導出される。特に分岐回路用遮断器は多数配設され、各分岐回路用遮断器からは多数の信号線が分電盤内に導出され、多数の信号線が分電盤内に渡り浮遊する。このため、外部モニタ等への信号線の誤配線が生じ易くなる。特に、分電盤内には引き込み電線や各負荷側への電線が浮遊している状態になって混雑しており、これらとの誤配線や、細い信号線の他の部品への挟み込み等が生じ易く、一層、配線接続作業がし難くなっている。
【０００５】
一方、特許文献１に示される分電盤には、電流検出用変流器からの口出し線を器体の外部に引き出して３Ｐのコネクタに接続したものが示されている。しかし、コネクタは１台の電流検出用変流器からの口出し線とピークカットコントローラを内蔵したブレーカを接続するためのコネクタであり、例えば、多数の電流検出用変流器から引き出された多数の口出し線（信号線）をまとめるための機能は有しておらず、上記した分電盤内に浮遊する信号線や電線等の混雑を解消することはできない。
【０００６】
本発明は、上述した問題を解決するために、信号線の接続を容易かつ確実に行うことができる施工性に優れた分電盤を提供しようとするものである。
【課題を解決するための手段】
【０００７】
上記目的を達成するために、請求項１に記載の分電盤の発明は、本体ケースと；本体ケースに設置される回路遮断器と；回路遮断器に接続された電線に設置される電流検出素子と；電流検出素子から出力端が導出される信号線と；信号線の出力端を接続する端子台と；を具備することを特徴とする。本発明によれば、信号線の出力端を接続する端子台により、信号線の混雑を解消することができ、信号線の接続を容易かつ確実に行うことができる。
【０００８】
本発明は、住宅や店舗等に使用される分電盤に適用されることが好ましいが、大型の業務用の配電盤等に適応されても、さらにはホームＩＴシステム等の情報盤等に適用されてもよい。
【０００９】
本発明において、回路遮断器は、主幹用遮断器でも、分岐回路用遮断器でもよい。分岐回路用遮断器は通常複数台が設置されるが、１台のみ設置されたものであってもよい。また、これら回路遮断器は漏電ブレーカ等を内蔵したものであってもよい。さらに、回路遮断器は、本体ケースに設置されるが、本体ケースに直接設置されても、取付板等に回路遮断器をまとめて設置した分電盤ユニットなどを介して設置されるものであってもよい。
【００１０】
電流検出素子は、小形のカレントトランス等で構成し、そのリングを電線に貫通させて設置されることが好ましいが、その構成はカレントトランスに限らず、電線に流れる電流を直接、または間接的に検出することが可能な全ての手段が許容される。電流検出素子は、主幹用遮断器に接続される引き込み線または引き出し線に設置して幹線に流れる電流を検出しても、分岐回路用遮断器に接続された電線に設置して、各負荷に流れる電流を検出するようにしてもよい。電流検出素子は、主幹用遮断器または分岐回路用遮断器内に内蔵され、信号線の出力端が、これら回路遮断器のケースから導出されるものでもよい。
【００１１】
信号線の出力端を接続する端子台は、例えば、電話器の配線やパソコン等のＬＡＮに使用されているようなモジュラープラグが差し込まれる差込口（ポート）と同様の形状で構成し、信号線を端子台に容易かつ確実に接続することができると共に、容易に取り外すことが可能になるように構成してもよい。また、信号線の先端を挿入口に挿入して接続する所謂ＳＬ端子（スクリューレス）構造にしたものであっても、または、ネジ止め式で接続するものであってもよい。さらに、着脱できる機能を有していることが必要条件ではなく、半田付け等の固着手段で接続したものであってもよい。
【００１２】
請求項２に記載の分電盤の発明は、本体ケースと；本体ケースに設置される主幹用遮断器と；主幹用遮断器に接続される分岐回路用遮断器と；分岐回路用遮断器に接続された電線に設置される電流検出素子と；電流検出素子から出力端が導出される信号線と；信号線の出力端を接続する端子台と；端子台に接続された信号線の出力端をまとめる出力端子と；を具備することを特徴とする。
【００１３】
本発明によれば、信号線の出力端を接続する端子台と、端子台に接続された信号線の出力端をまとめる出力端子により、信号線をまとめ、その混雑を解消することができ、信号線の接続を容易かつ確実に行うことができる。本発明において、出力端子は、端子台と一体、若しくは一体的に構成しても、または、端子台からケーブルを介して引き出して別体に構成したものであってもよい。
【発明の効果】
【００１４】
請求項１の発明によれば、電流検出素子から導出される信号線の出力端を接続する端子台により、信号線の混雑を解消することができ、信号線の接続を容易かつ確実に行うことができる施工性に優れた分電盤を提供することができる。
【００１５】
請求項２の発明によれば、電流検出素子から導出される信号線の出力端を接続する端子台と、端子台に接続された信号線の出力端をまとめる出力端子により、信号線をまとめ、その混雑を解消することができ、信号線の接続を容易かつ確実に行うことができる施工性に優れた分電盤を提供することができる。
【発明を実施するための最良の形態】
【００１６】
以下、本発明の分電盤の実施形態につき説明する。
【実施例１】
【００１７】
本実施例は、住宅用の分電盤を構成した実施形態であり、その構成を図１〜図５に従い説明する。
【００１８】
図１に示すように、本発明の分電盤１は、本体ケース１０、回路遮断器１１、電流検出素子１２、電流検出素子から導出される信号線１３、信号線を接続する端子台１４、端子台に接続された信号線をまとめる出力端子１５で構成する。
【００１９】
本体ケース１０は、図２に示すように、例えば、難燃性の合成樹脂で横長の箱体をなす形状に形成され、背面に一体にベース部材１０ａが形成され、前面に開閉可能または着脱可能にカバー部材１０ｂが設けられる。ベース部材１０ａは、住宅の壁面に取り付けられる取付板部１０ｃを有し、この取付板部に負荷側の各電線Ｃを引き込むための開口部１０ｄを複数個、本実施例では、上下に２個ずつ計４個形成する。またベース部材の取付板部１０ｃには、後述する回路遮断器１１を設置するための強固な金属からなる取付板１０ｅがネジ等の固定手段で取り付けられる。図中１０ｆは、本体ケース１０を壁面に対しネジなどで取り付けるための取付孔で、ベース部材の四隅に形成されている。
【００２０】
回路遮断器１１は、１台の主幹用遮断器１１ａと、複数台、本実施例では１０台の分岐回路用遮断器１１ｂからなる。主幹用遮断器１１ａは取付板１０ｅの一端部、図２中左方に取り付けられ、分岐回路用遮断器１１ｂは、５台ずつが上下に位置するように配置され取付板１０ｅに固定される。これにより回路遮断器１１と取付板１０ｅが一体となった分電盤ユニット１０ｇが構成される。この分電盤ユニット１０ｇは、ネジ等の固定手段でベース部材１０ａの取付板部１０ｃに着脱ができるようにして取り付けられる。分電盤ユニット１０ｇを取り付けた状態で、電線引き込み用の開口部１０ｄが上下に位置し開口した状態となる。また、回路遮断器１１を固定した取付板１０ｅとベース部材１０ａとの間には、空間部Ｓ１が形成され分電盤ユニット１０ｇがベース部材１０ａから離間して設置される（図４）。
【００２１】
また、各分岐回路用遮断器１１ｂの一端面には負荷側の電線Ｃを接続するための電線接続部１１ｂ１が設けられ、他端面には電源側の電線接続部（図示せず）が設けられる。図中１１ａ２、１１ｂ２は、それぞれ主幹用遮断器１１ａと各分岐回路用遮断器１１ｂに設けられた操作用の摘みである。各分岐回路用遮断器１１ｂの負荷側の電線接続部１１ｂ１は、負荷側の電線Ｃを接続するための２個の挿入口を設け、電線の被覆を剥がした先端を挿入口に挿入して接続する所謂ＳＬ端子として構成する。挿入口の上部には、電線Ｃの先端を係止してロックするための操作レバー１１ｂ３が、それぞれの挿入口に対応して設けられ、操作レバーを引き起こした状態で、電線の先端を挿入口の奥まで差し込み、差し込んだ状態で操作レバーを倒してロックするように構成される。図１は、ロックした状態を示す。
【００２２】
上記に構成された分岐回路用遮断器１１ｂは、５台ずつが上下に位置するように取付板１０ｅに設置され、その状態で上部に取り付けられた分岐回路用遮断器１１ｂの電線接続部１１ｂ１が上面に位置し、下部に取り付けられた分岐回路用遮断器１１ｂの電線接続部１１ｂ１が下面に位置して設置される。図中１１ｂ４は、電線を奥まで差し込まれたことを緑色で表示する表示レバーである。なお、電源側の電線接続部は、プラグイン端子で構成され電源側のバーが差し込まれて接続される。１１ｂ５は、分岐回路用遮断器１１ｂが接続される回路配線のチャンネル名、例えば、「１ｃｈ」「２ｃｈ」・・・・・等を表示する表示部である。表示名は、負荷の名称、例えば、「居間エアコン」等の名称を表示してもよい。
【００２３】
電流検出素子１２は、図１および図３に示すようにカレントトランスからなり、そのリングを分岐回路用遮断器１１ｂの負荷側の電線Ｃの一方の電線に貫通させて設置する。カレントトランスからなる電流検出素子からは一対の信号線１３の出力端が導出され、端子台１４に接続される。すなわち、信号線１３には、出力端としてのプラグ１３ａが一体に接続されている。プラグ１３ａは、外面に露出して一対の導電端子１３ｔを形成した構成であり、１３ｂは引き外し用の爪片である。電流検出素子１３は、複数台設置された分岐回路用遮断器１１ｂの内、負荷の電流を検出したい分岐回路用遮断器１１ｂの電線Ｃそれぞれに設置される。本実施例では、下段に配置された５台の分岐回路用遮断器の内、４台の分岐回路用遮断器１１ｂに夫々設置されている。
【００２４】
端子台１４は、図３に示すように、電気絶縁性を有する合成樹脂等で矩形状をなすように形成された基板１４ａからなり、基板の長さは５台ずつが設置された分岐回路用遮断器１１ｂ全体の横幅寸法と略同程度の長さに形成し、５台の各分岐回路用遮断器１１ｂの電線接続部１１ｂ１に対応した位置に、１個ずつの差込口１４ｂを一体に形成する。
【００２５】
差込口１４ｂは、内部に露出した導電端子（図示せず）を有する構成であり、上述のプラグ１３ａが差し込まれることにより、プラグ１３ａの導電端子１３ｔと差込口１４ｂの導電端子とがそれぞれ接続されると共に、プラグ１３ａの爪片１３ｂが差込口１４ｂに係合して接続がロックされる。上記構成の端子台１４は、上下若しくはいずれか一方に配置された５台ずつの各分岐回路用遮断器１１ｂに対応して設置される。本実施例では、下段の５台の各分岐回路用遮断器１１ｂに対応して配置されている。
【００２６】
端子台１４は、上述の主幹用遮断器１１ａと分岐回路用遮断器１１ｂを固定した取付板１０ｅとベース部材１０ａとの間に形成された空間部Ｓ１に設置される。すなわち、図４に示すように、基板１４ａの上面に突出する支持片１４ｃを一体に形成し、この支持片を取付板１０ｅの貫通孔１０ｅ１を介し隣り合う分岐回路用遮断器１１ｂの間に形成されている隙間Ｓ２に嵌め込み係合させて支持する。これにより、端子台１４が空間部Ｓ１に収納されると共に、各差込口１４ｂが、夫々対応する分岐回路用遮断器１１ｂの電線接続部１１ｂ１の下方に位置して設置される。
【００２７】
また、端子台１４の差込口１４ｂに隣接して表示部１４ｄを形成し、表示部には分岐回路用遮断器１１ｂの表示部１１ｂ５に対応した回路配線のチャンネル名、例えば、「１ｃｈ→」「２ｃｈ→」・・・・・等を表示する。「→」の表示は、対応する差込口１４ｂの方向を示し、複数の分岐回路用遮断器１１ｂが隣接した狭い場所に表示部を設けた際に、表示内容に対応する差込口１４ｂがどれであるかを確実に示し、誤配線等が発生しないようにしている。
【００２８】
出力端子１５は、図３に示すように、他連式のコネクタで構成し、端子台１４の各差込口１４ｂ内に設けられた導電端子からそれぞれ導出されるリード線１４ｅを、コネクタの所定の位置にそれぞれ接続し、各リード線を１箇所にまとめる。この出力端子１５を構成するコネクタには、上記端子台１４の表示部１４ｄに対応した「チャンネルＮｏ」表示１５ａが、コネクタの各端子に対応して表示されている。
【００２９】
図１中１６は、本体ケース１０の上下の周壁部分に、各分岐回路用遮断器１１ｂに対応して取り付けられた電線ガイドで、合成樹脂性の一体物からなり、一部を開放した略Ｕ字形に形成し、このＵ字の内面に電線Ｃを挟み込んで支持するものである。
【００３０】
次に、上記に構成された分電盤の施工手順につき説明する。まず、回路遮断器１１を取り付けた分電盤ユニット１０ｇを本体ケース１０のベース部材１０ａから一旦取り外す。次に、負荷側の複数本の電線Ｃを開口部１０ｄから本体ケース１０内に引き込み、本体ケースを住宅の壁面に設置する。
【００３１】
本体ケースを壁面に設置した状態で、上下の分岐回路用遮断器１１ｂに対応する該当の電線Ｃを上下に振り分け、さらに上下に振り分けた電線Ｃを、上下それぞれの位置において該当の分岐回路用遮断器１１ｂに対応して振り分ける。
【００３２】
上記により上下に振り分けられた電線Ｃの先端部分を分岐回路用遮断器１１ｂに対応して設けた電線ガイド１６に押し込み仮止めする。電線Ｃは本体ケース１０の内側中央部側に湾曲させ、さらに被覆を剥がした先端を分岐回路用遮断器１１ｂの電線接続部１１ｂ１に向かって折り返しておく。
【００３３】
次に、上記により仮止めされた各電線Ｃの一方の電線にカレントトランスからなる電流検出素子１２のリングをそれぞれ貫通させて所定の位置に保持させて設置する。本実施例では、下段の４台の分岐回路用遮断器１１ｂ、それぞれに電流検出素子１２が設置される。この際、電線Ｃは接続する分岐回路用遮断器に対応した位置に、電線ガイド１６によって仮止めされ位置決めされている。このため、電流検出素子１２のリングを貫通させる一方の電線を確実に認識することができ、さらに電線Ｃも浮遊した状態になっていないのでリングを貫通させる作業もし易くなる。
【００３４】
次に、設置した各電流検出素子１２から導出された信号線１３のプラグ１３ａを、端子台１４の差込口１４ｂに差し込み「カチッ」と係合してロックする。この際、作業者は、導出された信号線１３の分岐回路用遮断器１１ｂにおける表示部１１ｂ５の表示、例えば、「１ｃｈ」を確認し、その表示に対応した端子台１４の表示部１４ｄの表示、この場合であれば「１ｃｈ→」に対応した「→」方向に位置する差込口１４ｂに差し込んで接続する。他の信号線１３も同様にして各分岐回路用遮断器１１ｂに対応する差込口１４ｂに差し込んで接続する。
【００３５】
次に、上記のように信号線１３を端子台１４に接続し、電線Ｃを電線ガイド１６に仮止めした状態で、一旦取り外した分電盤ユニット１０ｇを、再度、本体ケース１０のベース部材１０ａに取り付ける。この際、各電流検出素子１２から導出された複数の信号線１３は本体ケース内に浮遊することなく、すでに端子台１４に整然と接続されており、また、振り分けられた各電線Ｃは電線ガイド１６に仮止めされて整列されており、従来のように本体ケースの中央部分にそれらが浮遊し、両者が混雑していることがなく邪魔にならずに作業が円滑に行える。
【００３６】
次に各分岐回路用遮断器１１ｂの電線接続部１１ｂ１における操作レバー１１ｂ３を引き起こし、折り返した電線Ｃの先端を挿入口に差し込み、奥まで差し込んだことを緑色の表示レバー１１ｂ４で確認して、操作レバー１１ｂ３を元の状態に倒してロックする（図１）。この際、多数の信号線１３が浮遊していないので、差し込み作業の邪魔にならない。また、該当の電線Ｃが該当の分岐回路用遮断器１１ｂの真下または真上に位置して仮止めされているので、迷って誤接続することなく確実に接続される。
【００３７】
次に、上記により各分岐回路用遮断器１１ｂに設置された電流検出素子１２の信号線１３がまとめられた出力端子１５を、外部のモニタやホームＩＴシステムの情報盤等のケーブル端子に接続する。
【００３８】
上記により、各分岐回路用遮断器１１ｂに、所定の電流検出素子１２が設置され、また、負荷側の電線Ｃがそれぞれ接続されて施工が完了し、カバー部材１０ｂが本体ケース１０の前面に被される。なお、主幹用遮断器１１ａには別途電源ケーブルが引き込まれて配線がなされる。
【００３９】
また、分電盤の設置後に住宅内の配線を変更する作業などで、電流検出素子１２や電線Ｃを外す場合には、操作レバー１１ｂ３を引き起こして挿入口から電線を引き抜き、引き抜かれた電線からカレントトランスのリングを外し、信号線１３のプラグ１３ａを、その爪片１３ｂを指で挟み込み差込口１４ｂとの係合を解除し信号線１３を端子台１４から外せばよい。
【００４０】
上記により設置された分電盤を作動させると、主幹用遮断器１１ａおよび分岐回路用遮断器１１ｂは、それぞれ過電流によるブレーカとしての通常の作動を行うと共に、各分岐回路用遮断器１１ｂの電線Ｃに流れる電流の量を電流検出素子１２が検出し、信号線１３を介して電流値や消費電力量を外部のモニタに表示する。これにより、例えば、「１ｃｈ」の分岐回路用遮断器１１ｂがエアコンに接続されていれば、現在のエアコンの消費電力量が表示され、使用者はこのモニタを見て消費電力が大であれば冷房時の消費電力を落とすべくエアコンの温度設定を上げる等の操作を行う。これらにより家庭内における省エネ効果を発揮することができる。
【００４１】
以上、本実施例によれば、分岐回路用遮断器１１ｂそれぞれに電流検出素子１２を設置し、各電流検出素子１２から導出された信号線１３のプラグ１３ａを、端子台１４の差込口１４ｂに差し込み接続するようにしたので、各電流検出素子１２から導出された複数の信号線１３は本体ケース内に浮遊することなく端子台１４に整然と接続され、その混雑を解消することができる。これにより、信号線の接続を容易かつ確実に行うことができ施工性に優れた分電盤を提供することができる。
【００４２】
また、端子台１４には、導出された信号線１３の分岐回路用遮断器１１ｂに対応したチャンネル名等を表示したので、誤配線を防止することができ信号線の接続をより一層容易かつ確実に行うことができる。
【００４３】
また、電流検出素子１２を電線Ｃに設置する際には、各電線Ｃは電線ガイド１６に仮止めされて整列され浮遊していないので、電線Ｃが作業の邪魔になることがない。また、電線Ｃを電線接続部１１ｂ１の挿入孔に挿入する際には、信号線１３はすでに端子台１４に接続され浮遊していないので、信号線１３が作業の邪魔になることがない。これら信号線１３の端子台１４への接続作用と電線ガイド１６の作用が相まって、信号線１３と電線Ｃの両者が混雑していることがなく、互いに邪魔にならずにそれぞれの配線接続作業が円滑になり、施工性に優れた分電盤を提供することができる。
【００４４】
また、電流検出素子１２の信号線１３が接続された端子台１４の出力端子１５は、他連式のコネクタでまとめられているので、リード線等が本体ケース１０内に浮遊することがなく、分電盤内の配線接続作業の邪魔になることがない。同時に、外部のモニタやホームＩＴシステムの情報盤等のケーブル端子にコネクタを単に接続するだけの単純な作業で行うことができ、容易かつ確実に接続することができる。この際、この出力端子１５を構成するコネクタには、上記端子台１４の表示部１４ｄに対応したチャンネルＮｏ等を表示１５ａしたので、誤接続も防止することができる。
【００４５】
また、端子台１４は、上述の回路遮断器１１を固定した取付板１０ｅとベース部材１０ａとの間に形成された空間部Ｓ１に設置されるので、本体ケース１０に端子台１４を設置するための格別なスペースを形成する必要がなく、本体ケースのスペースを有効活用することができる。同時に、本体ケースを大きくして設置スペースを確保する必要がなくケースの大型化を防止することができる。
【００４６】
また、端子台１４が空間部Ｓ１に収納されることにより、端子台１４を各分岐回路用遮断器１１ｂの近傍で、しかも、各差込口１４ｂが、夫々対応する分岐回路用遮断器１１ｂの電線接続部１１ｂ１の略真下に位置して設置されるので、信号線１３の端子台１４への接続作業が容易になり、かつ誤接続することなく確実に行うことができる。さらに信号線を不要に長くすることなく、短い信号線を用いることができコスト的にも有利となる。
【００４７】
さらに、信号線１３と端子台１４の接続は、プラグ１３ａと差込口１４ｂを用いて行うようにしたので、より一層接続作業が容易になり、かつ確実に行うことができる。また、配線の変更等に際しても容易に外すことができ、より一層施工性に優れた分電盤を提供することができる。
【００４８】
以上、本実施例において、電流検出素子１２を分岐回路用遮断器１１ｂに設置して、各負荷の電流を検出するようにしたが、主幹用遮断器１１ａに設置するようにしてもよい。この場合、引き込まれる電源線の一方に電流検出素子を設置すればよい。この場合も引き込まれる電源線の主幹用遮断器への接続作業の際に、電流検出素子の信号線はすでに端子台に接続され、本体ケース内に浮遊していることがなく、分電盤における配線接続作業を容易かつ確実に行うことができる。
【００４９】
電流検出素子１２を下段の４台の分岐回路用遮断器１１ｂに設置したが、上段の分岐回路用遮断器にも設置してもよい。若しくは上段の分岐回路用遮断器のみに設置するようにしてもよい。設置する台数は何台でもよい。
【００５０】
負荷側の電線Ｃを仮止めする電線ガイド１６を設けたが、電線ガイドを設けずに構成してもよい。この場合、信号線１３の混雑のみを解消することで十分に分電盤内における配線接続作業を容易かつ確実に行うことができる。
【００５１】
端子台１４の差込口１４ｂは、図５（ａ）に示すように、分岐回路用遮断器１１ｂの側面と略面一になるように、垂直（設置時には水平）に面するように構成してもよい。これによれば、作業者は下方から直接差込口１４ｂを見ることができ、回路遮断器への電線接続方向と差込口１４ｂへのプラグ１３ａの差込方向が一致し、一層接続作業が容易になる。また、上段の分岐回路用遮断器にも電流検出素子を設置する場合、上段の端子台は、図１に示すような水平面（設置時には垂直面）に差込口１４ｂを有する構成となし、下段の端子台は、図５（ａ）に示すように差込口１４ｂを垂直面（設置時には水平面）に設けた構成とすれば、作業者は上段の差込口１４ｂを正面に見ることができ、また下段の差込口１４ｂは下方から直接見ることができ接続作業が容易になる。
【００５２】
また、出力端子１５は、端子台１４からリード線１４ｅを介して引き出して別体に構成したが、図５（ｂ）に示すように、端子台１４の基板１４ａに一体成形により形成してもよい。さらに、別体に構成した出力端子をネジ等の固定手段で基板１４ａに固定して一体化して構成してもよい。
【００５３】
なお、変形例を示す図５には、図１〜図４と同一部分に同一符号を付し、詳細な説明は省略する。以上、本発明の好適な実施形態を説明したが、本発明は上述の実施例に限定されることなく、本発明の要旨を逸脱しない範囲内において、種々の設計変更を行うことができる。
【図面の簡単な説明】
【００５４】
【図１】本発明の実施形態における分電盤の要部を示す斜視図。
【図２】同じく分電盤の一部を切り欠いて示す正面図。
【図３】同じく分電盤の端子台の一部を省略し、電流検出素子とプラグおよび端子台との接続状態を示す斜視図。
【図４】同じく分電盤の端子台を本体ケースに設置した状態を示す断面図。
【図５】同じく本発明の変形例を示し、（ａ）は端子台の変形例を示す正面図、（ｂ）は出力端子の変形例を、端子台の一部を省略して示す斜視図。
【符号の説明】
【００５５】
１    分電盤
１０  本体ケース
１１  回路遮断器
１１ａ  主幹用回路遮断器
１１ｂ  分岐回路用遮断器
１２  電流検出素子
１３  信号線
１４  端子台
１５  出力端子
【図１】
2010057238.tif 000003
【図２】
2010057238.tif 000004
【図３】
2010057238.tif 000005
【図４】
2010057238.tif 000006
【図５】
2010057238.tif 000007